(57)【特許請求の範囲】
【請求項１】
フロントパネルフレーム（１）と、
フロントパネルフレーム（１）の外部に向いた開口を有し、前記フロントパネルフレーム（１）に設けられた表示パネル室（２）と、
前記表示パネル室（２）内に設けられた表示パネル（３）と、
前記表示パネル室（２）の開口に固定され、表示パネル（３）に接続された操作パネル（４）と、
を備え、
前記表示パネル室（２）は、フロントパネルフレーム（１）の下部に位置し、
前記表示パネル室（２）は、フロントパネルフレーム（１）の上部に近接し、表示パネル室の開口から表示パネル室（２）の底部に向かうに伴って下へ傾斜する第１側壁（２１）を備え、
前記操作パネル（４）は、パネル本体（４１）および上方側辺（４２）を備え、
前記上方側辺（４２）が前記パネル本体（４１）に垂直であり、
前記第１側壁（２１）がパネル本体（４１）および上方側辺（４２）に密封当接される、
操作パネルの一体化構造。
【請求項２】
前記表示パネル室（２）と前記フロントパネルフレーム（１）とが一体成形される、
請求項１に記載の操作パネルの一体化構造。
【請求項３】
前記操作パネル（４）の表示パネル（３）から離れた側に貼付された強化ガラス（５）、を更に備え、
前記操作パネル（４）と前記表示パネル室（２）とが密封接続される、
請求項１に記載の操作パネルの一体化構造。
【請求項４】
前記第１側壁（２１）と水平面との角度の範囲は０°〜９０°である、
請求項１に記載の操作パネルの一体化構造。
【請求項５】
前記上方側辺（４２）の第１側壁（２１）に近接する側に、前記第１側壁（２１）と密封係合するリブ（４３）が設けられる、
請求項１に記載の操作パネルの一体化構造。
【請求項６】
前記第１側壁（２１）の開口に近接する端部に、フロントパネルフレーム（１）の上部に向いた縁取り（２２）が設けられ、
前記縁取り（２２）の先端は、前記上方側辺（４２）と密封接触し、
前記縁取り（２２）の操作パネル（４）に近接する側辺は、前記パネル本体（４１）と密封接触する、
請求項１に記載の操作パネルの一体化構造。
【請求項７】
食洗機の内側容器と、請求項１から６のいずれか１項に記載の操作パネルの一体化構造と、を備える、食洗機。
【発明の詳細な説明】
【技術分野】
【０００１】
本開示は、食洗機の技術分野に関し、例えば、操作パネルの一体化構造および食洗機に関する。
【背景技術】
【０００２】
関連技術における食洗機は、フロントドアの構成である場合が多い。操作パネルは、ネジ止めの方式で扉体に固定され、表示パネルは外部の表示パネルハウジングによって操作パネルに固定される。表示パネルを表示パネルハウジング内に組み付けて操作パネルに固定し、上記表示パネル、操作パネルを食洗機の扉体に組み付ける必要がある。これにより、大きいスペースが要求され、機器全体の外観を損なうとともに、構造が複雑で重複し、取り外しが複雑である。
【０００３】
上記操作パネルと表示パネルの組み付け方式は、新型の食洗機の扉体に適用できず、新型の食洗機の扉体は、主にガラスとフレームで構成され、操作パネルを取り付けることができず、操作パネルおよび表示パネルは、内側容器に連結されたフロントパネルフレームのみに組み付け可能である。フロントパネルフレームは、扉体の周囲に位置し、扉体の面積が大きく、フロントパネルフレームの利用可能な面積が小さいため、操作パネルおよび表示パネルの利用可能なスペースが小さくなり、表示パネルハウジングを組み付けることができない。
【発明の概要】
【課題を解決するための手段】
【０００４】
本開示は、占有スペースを小さくし、組み付けを簡素化できる操作パネルの一体化構造を提供する。
【０００５】
本開示は、上記操作パネルの一体化構造を備える食洗機を更に提供する。
【０００６】
本実施例は、フロントパネルフレームと、フロントパネルフレームの外部に向いた開口を有し、前記フロントパネルフレームに設けられた表示パネル室と、前記表示パネル室内に設けられた表示パネルと、前記表示パネル室の開口に固定され、表示パネルに接続された操作パネルとを備える操作パネルの一体化構造を提供する。
【０００７】
上記操作パネルの一体化構造の好ましい形態の１つとして、前記表示パネル室と前記フロントパネルフレームとが一体成形される。
【０００８】
上記操作パネルの一体化構造の好ましい形態の１つとして、前記操作パネルの一体化構造は、前記操作パネルの表示パネルから離れた側に貼付された強化ガラスを更に備える。ここで、前記操作パネルと前記表示パネル室とが密封接続される。
【０００９】
上記操作パネルの一体化構造の好ましい形態の１つとして、前記表示パネル室は、フロントパネルフレームの下部に位置する。
【００１０】
上記操作パネルの一体化構造の好ましい形態の１つとして、前記表示パネル室は、フロントパネルフレームの上部に近接し、表示パネル室の開口から表示パネル室の底部に向かうに伴って下へ傾斜する第１側壁を備える。
【００１１】
上記操作パネルの一体化構造の好ましい形態の１つとして、前記第１側壁と水平面との角度の範囲は０°〜９０°である。
【００１２】
上記操作パネルの一体化構造の好ましい形態の１つとして、前記操作パネルは、パネル本体および上方側辺を備える。ここで、前記上方側辺は、前記パネル本体に垂直であり、前記第１側壁は、パネル本体および上方側辺に密封当接される。
【００１３】
上記操作パネルの一体化構造の好ましい形態の１つとして、前記上方側辺の第１側壁に近接する側に、前記第１側壁と密封係合するリブが設けられる。
【００１４】
上記操作パネルの一体化構造の好ましい形態の１つとして、前記第１側壁の開口に近接する端部に、フロントパネルフレームの上部に向いた縁取りが設けられ、前記縁取りの先端は前記上方側辺と密封接触し、前記縁取りの操作パネルに近接する側辺は、前記パネル本体と密封接触する。
【００１５】
食洗機内側容器と、上記いずれかの操作パネルの一体化構造とを備える食洗機である。
【発明の効果】
【００１６】
本実施例に係る操作パネルの一体化構造は、フロントパネルフレームに表示パネル室が一体化され、表示パネル室は、直接に表示パネル、操作パネルと組み付けられて一体化され、表示パネルと表示パネルハウジングとを組み付けてから操作パネルに組み付けることを回避し、表示パネルハウジングの使用を減少し、該一体化構造の占有スペースが小さくなり、対応する組み付け構造が簡素化され、取り外しやすい。
【図面の簡単な説明】
【００１７】
【図１】本実施例に係る操作パネルの一体化構造の分解図である。
【図２】本実施例に係る操作パネルの一体化構造の断面模式図である。
【図３】図２におけるＡの一部の構造の模式図である。
【図４】本実施例に係る食洗機内側容器と操作パネルの一体化構造とが係合する構造模式図である。
【発明を実施するための形態】
【００１８】
以下、図面を参照しながら、好ましい実施形態で本開示の技術案について説明する。矛盾しない限り、実施例と実施例における特徴は、互いに任意に組み合わせることができる。
【００１９】
図１〜４に示すように、本実施形態に係る操作パネルの一体化構造は、フロントパネルフレーム１を備え、フロントパネルフレーム１に表示パネル室２が設けられ、表示パネル室２にフロントパネルフレーム１の外部に向いた開口を有し、表示パネル室２の開口に、表示パネル３に接続された操作パネル４が固定され、表示パネル３は、表示パネル室２内に位置する。
【００２０】
該操作パネルの一体化構造では、フロントパネルフレーム１に表示パネル室２が一体化され、表示パネル室２は、直接に表示パネル３、操作パネル４と組み付けられて一体化され、表示パネル３と表示パネルハウジングとを組み付けてから操作パネル４に組み付けることを回避し、表示パネルハウジングの使用を減少し、該一体化構造の占有スペースが小さくなり、対応する組み付け構造が簡素化され、取り外しやすい。
【００２１】
本実施形態において、表示パネル室２とフロントパネルフレーム１とが一体成形され、表示パネル室２と扉体との組み付け構造が簡素化され、構造がよりコンパクトになる。
【００２２】
図２に示すように、ほこりまたは水の進入を回避するように、操作パネル４と表示パネル室２とが密封接続され、操作パネル４の表示パネル３から離れた側に強化ガラス５が貼付され、強化ガラス５は、操作パネル４を保護できるとともに、防水機能を有する。
【００２３】
本実施形態において、表示パネル室２は、フロントパネルフレーム１の下部に位置し、省スペースで取り付けやすい。表示パネル室２は、フロントパネルフレーム１の他の箇所、例えば、フロントパネルフレーム１の上部に位置してもよい。
【００２４】
図２に示すように、表示パネル室２は第１側壁２１を備え、第１側壁２１はフロントパネルフレーム１の上部に近接する側壁であり、第１側壁２１は開口から表示パネル室２の底部に向かうに伴って下へ傾斜し、第１側壁２１と水平面との角度の範囲は０°〜９０°である。好ましくは、角度の値は２０°、３０°、４５°、５０°等であってもよい。第１側壁２１が下へ傾斜することで、上方から水が流下して第１側壁２１に到達した場合、水が第１側壁２１に沿って流れてゆくことを確保でき、表示パネル室２内に水が侵入することを回避し、操作パネル４および表示パネル３の正常な使用を確保する。
【００２５】
操作パネル４は、パネル本体４１および上方側辺４２を備え、上方側辺４２がパネル本体４１に垂直であり、第１側壁２１は、パネル本体４１および上方側辺４２に密封当接され、上方から水が流下すると、表示パネル室２に水が侵入することを防止できる。
【００２６】
好ましくは、図３に示すように、上方側辺４２の第１側壁２１に近接する側にリブ４３が設けられ、リブ４３は第１側壁２１と密封係合し、リブ４３は、上方側辺４２と第１側壁２１との間の接触の密着性を更に確保し、防水の作用を果たす。
【００２７】
第１側壁２１の開口に近接する端部に縁取り２２が設けられ、縁取り２２はフロントパネルフレーム１の上部に向き、縁取り２２の先端は上方側辺４２と密封接触し、縁取り２２の操作パネル４に近接する側辺は、パネル本体４１に密封接触する。
【００２８】
本実施形態において、上記操作パネルの一体化構造を備える食洗機を更に提供する。図４に示すように、該一体化構造が食洗機内側容器６と係合すると、内側容器６の１つの縁部が上方側辺４２と第１側壁２１との間に延在して縁取り２２に当接し、縁取り２２に押圧力を加え、防水性能を向上させる。
【００２９】
食洗機は、該フロントパネルフレームに一体化された表示パネル室を備え、表示パネル室は、直接に表示パネル、操作パネルと組み付けられて一体化され、表示パネルと表示パネルハウジングとを組み付けてから操作パネルに組み付けることを回避し、表示パネルハウジングの使用を減少し、該一体化構造が占有するスペースが小さくなり、対応する組み付け構造が簡素化され、取り外しやすい。
【００３０】
上記操作パネルの一体化構造は、更に他の電気機器にも適用できる。
【産業上の利用可能性】
【００３１】
本開示は、操作パネルの一体化構造および食洗機を提供し、前記操作パネルの一体化構造は、フロントパネルフレームに表示パネル室が一体化され、表示パネル室は、直接に表示パネル、操作パネルと組み付けられて一体化され、表示パネルと表示パネルハウジングとを組み付けてから操作パネルに組み付けることを回避し、表示パネルハウジングの使用を減少し、該一体化構造が占有するスペースが小さくなり、対応する組み付け構造が簡素化され、取り外しやすい。
【符号の説明】
【００３２】
１    フロントパネルフレーム
２    表示パネル室
３    表示パネル
４    操作パネル
５    強化ガラス
６    内側容器
２１    第１側壁
２２    縁取り
４１    パネル本体
４２    上方側辺
４３    リブ
【図１】
0006851494.tif 000002
【図２】
0006851494.tif 000003
【図３】
0006851494.tif 000004
【図４】
0006851494.tif 000005